(57)【要約】【課題】メッセージ入力の際、入力されたメッセージに含まれているスペースの削除、所定の語句の変更、特殊文字の削除、及び略語の変更の少なくとも一つを実行することにより、メッセージの文字数を所定の文字数内に制限し、メッセージを迅速に修正することができる携帯通信端末のメッセージ修正方法及びその携帯通信端末を提供する。【解決手段】携帯通信端末は、少なくとも一つの文字を含むメッセージが入力されるキー入力部と、入力されたメッセージの文字数を所定の文字数内に制限して、メッセージを修正する制御部と、を含んで構成される。【選択図】図１
2006331429.tif 000002
【特許請求の範囲】
【請求項１】
携帯通信端末において、
少なくとも一つの文字を含むメッセージが入力されるキー入力部と、
前記入力されたメッセージの文字数を所定の文字数内に制限して、メッセージを修正する制御部と、
を含んで構成されることを特徴とする携帯通信端末。
【請求項２】
前記制御部は、前記入力されたメッセージが１回の伝送容量の基準値を超えると、前記入力されたメッセージの文字数を、前記基準値内に制限することを特徴とする請求項１に記載の携帯通信端末。
【請求項３】
前記制御部は、前記メッセージに含まれているスペースを削除することを特徴とする請求項１又は請求項２に記載の携帯通信端末。
【請求項４】
前記制御部は、前記メッセージに含まれているスペースを一定の順次に従って削除するか、又は、予め設定された伝送容量の基準値に基づいて、スペースを選択削除することを特徴とする請求項１〜請求項３のいずれか１項に記載の携帯通信端末。
【請求項５】
前記制御部は、前記メッセージに含まれている所定の語句を変更することを特徴とする請求項１〜請求項４のいずれか１項に記載の携帯通信端末。
【請求項６】
前記制御部は、所定の語句を予め指定された同じ意味内容を表す文字数の少ない他の語句に変更した後、スペースを削除するか、又は、スペースを削除した後、所定の語句を予め指定された同じ意味内容を表す文字数の少ない他の語句に変更することを特徴とする請求項１〜請求項５のいずれか１項に記載の携帯通信端末。
【請求項７】
前記制御部は、特殊文字を削除することを特徴とする請求項１〜請求項６のいずれか１項に記載の携帯通信端末。
【請求項８】
前記制御部は、所定の語句を同じ意味内容の略語に変更することを特徴とする請求項１〜請求項７のいずれか１項に記載の携帯通信端末。
【請求項９】
前記制御部は、メッセージの文字数を所定の文字数内に制限する方式を複数有し、該複数の方式に対して優先順位を設定し、該設定した優先順位による方式に従って、前記入力されたメッセージの文字数を所定の文字数内に制限して、メッセージを修正することを特徴とする請求項１〜請求項８のいずれか１項に記載の携帯通信端末。
【請求項１０】
前記制御部は、前記入力されたメッセージの文字数を所定の文字数内に制限処理した部分を、制限処理していない部分と区別して表示する表示処理部を含んで構成されることを特徴とする請求項１に記載の携帯通信端末。
【請求項１１】
前記表示処理部は、前記制御部によって削除または変更された部分を、予め設定された表示方式により変更して表示することを特徴とする請求項１０に記載の携帯通信端末。
【請求項１２】
前記予め設定された表示方式が、メッセージの文字色、文字スタイル、文字サイズの少なくとも一つを変更して表示するものであることを特徴とする請求項１１に記載の携帯通信端末。
【請求項１３】
前記表示処理部は、
前記制御部によってスペースが削除されると、該削除されたスペースの後に位置する文字を変更して表示し、
前記制御部によって所定の語句が変更されると、該変更された所定の語句及び該所定の語句の後に位置する文字を変更して表示し、
前記制御部によって特殊文字が削除されると、該削除された特殊文字の後に位置する文字を変更して表示することを特徴とする請求項１２に記載の携帯通信端末。
【請求項１４】
前記優先順位が、前記メッセージに含まれているスペースを削除すること、所定の語句を予め指定された同じ意味内容を表す文字数の少ない他の語句へ変更すること、特殊文字を削除することの順に設定されていることを特徴とする請求項９に記載の携帯通信端末。
【請求項１５】
前記制御部は、
ユーザにより登録要求された所定の語句と、該所定の語句と同じ意味内容を表す文字数の少ない他の語句とがそれぞれ指定されると、前記所定の語句と前記他の語句とを対応付けて、これらを予め割り当てられたメモリ領域に登録する語句登録部と、
前記メッセージの文字数を所定の文字数内に制限して、メッセージを修正する一連の手続きを行うメッセージ自動修正メニュー項目が選択されると、前記メッセージに含まれているスペースの削除、前記語句登録部に登録された所定の語句の他の語句への変更、特殊文字の削除の少なくとも一つを実行することにより、メッセージの文字数を所定の文字数内に制限して、メッセージを修正するメッセージ修正部と、
前記メッセージ修正部により修正されるメッセージの修正進行状態を表示する修正状態表示部と、
を含んで構成されることを特徴とする請求項１又は請求項２に記載の携帯通信端末。
【請求項１６】
前記メッセージ修正部は、
前記メッセージに含まれているスペースを削除するスペース削除部と、
前記メッセージのうち、前記語句登録部に登録された所定の語句を予め指定された同じ意味内容を表す文字数の少ない他の語句に変更する語句変更部と、
前記メッセージに含まれている特殊文字を削除する特殊文字削除部と、
を含んで構成されることを特徴とする請求項１５に記載の携帯通信端末。
【請求項１７】
所定の語句と同じ意味内容の略語を用いて構築された略語データベースをさらに含んで構成されることを特徴とする請求項１５に記載の携帯通信端末。
【請求項１８】
前記メッセージ修正部は、前記略語データベースを用いて、前記メッセージの内容における所定の語句を該当する略語に変更する略語変更部をさらに含んで構成されることを特徴とする請求項１７に記載の携帯通信端末。
【請求項１９】
前記制御部は、前記入力されたメッセージをメモリに格納し、前記修正したメッセージに対するメッセージ回復要求に従い、前記メモリに格納した修正前のメッセージを呼び出して表示する回復処理部をさらに含んで構成されることを特徴とする請求項１又は請求項２に記載の携帯通信端末。
【請求項２０】
携帯通信端末において、
少なくとも一つの文字を含むメッセージが入力されるキー入力部と、
前記入力されたメッセージの文字数を所定の文字数内に制限して、メッセージを修正する制御部と、
前記修正されたメッセージを格納するメモリと、
前記修正されたメッセージを伝送する伝送部と、
を含んで構成されることを特徴とする携帯通信端末。
【請求項２１】
少なくとも一つの文字を含むメッセージが入力される第１のステップと、
前記入力されたメッセージの文字数を所定の文字数に制限して、メッセージを修正する第２のステップと、
を含んで構成されることを特徴とする携帯通信端末のメッセージ修正方法。
【請求項２２】
前記第２のステップは、前記入力されたメッセージが１回の伝送容量の基準値を超えると、前記入力されたメッセージの文字数を前記基準値内に制限して、メッセージを修正することを特徴とする請求項２１に記載の携帯通信端末のメッセージ修正方法。
【請求項２３】
前記第２のステップは、前記メッセージに含まれているスペースを削除することを特徴とする請求項２１又は請求項２２に記載の携帯通信端末のメッセージ修正方法。
【請求項２４】
前記第２のステップは、前記メッセージに含まれているスペースを一定の順次に従って削除するか、又は、予め設定された伝送容量の基準値に基づいて、スペースを選択削除することを特徴とする請求項２１〜請求項２３のいずれか１項に記載の携帯通信端末のメッセージ修正方法。
【請求項２５】
前記第２のステップは、前記メッセージに含まれている所定の語句を変更することを特徴とする請求項２１〜請求項２４のいずれか１項に記載の携帯通信端末のメッセージ修正方法。
【請求項２６】
前記第２のステップは、所定の語句を予め指定された同じ意味内容を表す文字数の少ない他の語句に変更した後、スペースを削除するか、又は、スペースを削除した後、所定の語句を予め指定された同じ意味内容を表す文字数の少ない他の語句に変更することを特徴とする請求項２１〜請求項２５のいずれか１項に記載の携帯通信端末のメッセージ修正方法。
【請求項２７】
前記第２のステップは、特殊文字を削除することを特徴とする請求項２１〜請求項２６のいずれか１項に記載の携帯通信端末のメッセージ修正方法。
【請求項２８】
前記第２のステップは、所定の語句を同じ意味内容の略語に変更することを特徴とする請求項２１〜請求項２７のいずれか１項に記載の携帯通信端末のメッセージ修正方法。
【請求項２９】
前記第２のステップは、メッセージの文字数を所定の文字数に制限する方式を複数有し、該方式に対して優先順位を設定し、該設定した優先順位による方式に従って、前記入力されたメッセージの文字数を所定の文字数内に制限して、メッセージを修正することを特徴とする請求項２１〜請求項２８のいずれか１項に記載の携帯通信端末のメッセージ修正方法。
【請求項３０】
前記入力されたメッセージの文字数を所定の文字数内に制限処理した部分を、制限処理していない部分と区別して表示する表示処理ステップをさらに含んで構成されることを特徴とする請求項２１に記載の携帯通信端末のメッセージ修正方法。
【請求項３１】
前記表示処理ステップは、前記第２のステップによって削除または変更された部分を、予め設定された表示方式により変更して表示することを特徴とする請求項３０に記載の携帯通信端末のメッセージ修正方法。
【請求項３２】
前記予め設定された表示方式が、メッセージの文字色、文字スタイル、文字サイズの少なくとも一つを変更して表示するものであることを特徴とする請求項３１に記載の携帯通信端末のメッセージ修正方法。
【請求項３３】
前記表示処理ステップは、
前記第２のステップによってスペースが削除されると、該削除されたスペースの後に位置する文字を変更して表示し、
前記第２のステップによって所定の語句が変更されると、該変更された所定の語句及び所定の語句の後に位置する文字を変更して表示し、
前記第２のステップによって特殊文字が削除されると、該削除された特殊文字の後に位置する文字を変更して表示することを特徴とする請求項３２に記載の携帯通信端末のメッセージ修正方法。
【請求項３４】
前記優先順位が、前記メッセージに含まれているスペースを削除すること、所定の語句を予め指定された同じ意味内容を表す文字数の少ない他の語句へ変更すること、特殊文字を削除することの順に設定されていることを特徴とする請求項２９に記載の携帯通信端末のメッセージ修正方法。
【請求項３５】
前記第２のステップは、
ユーザにより登録要求された所定の語句と、該所定の語句と同じ意味内容を表す文字数の少ない他の語句とがそれぞれ指定されると、前記所定の語句と前記他の語句とを対応付けて、これらを予め割り当てられたメモリ領域に登録する語句登録ステップと、
前記メッセージの文字数を所定の文字数内に制限して、メッセージを修正する一連の手続きを行うメッセージ自動修正メニュー項目が選択されると、前記メッセージに含まれているスペースの削除、前記語句登録ステップによって登録された所定の語句の他の語句への変更、特殊文字の削除の少なくとも一つを実行することにより、メッセージの文字数を所定の文字数内に制限し、メッセージを修正するメッセージ修正ステップと、
前記メッセージ修正ステップにより修正されるメッセージの修正進行状態を表示する修正状態表示ステップと、
を含んで構成されることを特徴とする請求項２１又は請求項２２に記載の携帯通信端末のメッセージ修正方法。
【請求項３６】
前記メッセージ修正ステップは、所定の語句と同じ意味内容の略語を用いて構築された略語データベースに基づいて、前記メッセージの内容における所定の語句を該当する略語に変更する略語変更ステップをさらに含んで構成されることを特徴とする請求項３５に記載の携帯通信端末のメッセージ修正方法。
【請求項３７】
前記入力されたメッセージをメモリに格納し、前記修正したメッセージに対するメッセージ回復要求に従い、前記メモリに格納した修正前のメッセージを呼び出して表示する回復処理ステップをさらに含んで構成されることを特徴とする請求項２１又は請求項２２に記載の携帯通信端末のメッセージ修正方法。
【発明の詳細な説明】
【技術分野】
【０００１】
本発明は、携帯通信端末のメッセージ修正方法及びその携帯通信端末に関し、より詳しくは、メッセージ入力の際、入力されたメッセージに含まれているスペース（空白文字）の削除、所定の語句の他の語句への変更、特殊文字の削除、及び略語の変更の少なくとも一つを実行することにより、メッセージの文字数を所定の文字数内に制限して、メッセージを修正可能にした携帯通信端末のメッセージ修正方法及びその携帯通信端末に関する。
【背景技術】
【０００２】
最近、携帯電話及び携帯通信端末の普及が急拡大するにつれて、ショート・メッセージ・サービス（以下、「ＳＭＳ」という）の利用者も急増している。このようなＳＭＳは、４０文字前後の短文で迅速に内容を伝えることができるので、一つの通信手段として確固たる地位を占めている。
【０００３】
このようなＳＭＳは、一度に送信できるメッセージの容量（文字数）が４０文字前後等に制限されているため、ユーザが入力したメッセージの文字数が基準値を超える場合、そのメッセージにおいて、不要な内容（例えば、スペース、特殊文字等）を削除するか、または文章を短くする等の作業を要し、その作業に時間を浪費する。すなわち、ユーザが入力したＳＭＳメッセージが１回の伝送容量の基準値を超える場合、ユーザは、逐一、ＳＭＳメッセージに含まれているスペース等の位置に移動して削除するか、または使用した単語を少なくすることにより、制限されたバイト数を満たすために、多くの時間を浪費してしまうという問題点があった。
【０００４】
また、このようなＳＭＳメッセージが基準値を超える場合、二つ以上のＳＭＳメッセージに分けて送信することになるが、この場合は、その送信した分だけ利用料金が発生する。
【０００５】
したがって、ＳＭＳメッセージが基準値を超える場合、ＳＭＳメッセージに含まれている不要な内容を自動的に削除等することができ、この削除等の作業に時間を浪費することなく、及び、余分な利用料金を発生させることなく、ＳＭＳメッセージを制限されたバイト数内（所定の文字数内）に収める必要がある。
【０００６】
また、ＥＭＳ（Enhanced Message Service）メッセージは、２５５ページまでメッセージを入力することができるが、数ページにかけてメッセージを入力して伝送すると、これを受信した受信者は、受信メッセージのページを選択して、選択ページ毎にメッセージの内容を確認しなければならないので、ページ数を減らすことができれば、その確認を短時間で行うことができる。
【発明の開示】
【発明が解決しようとする課題】
【０００７】
本発明は、上記問題点に鑑みてなされたものであり、メッセージ入力の際、入力されたメッセージに含まれているスペースの削除、所定の語句の他の語句への変更、特殊文字の削除、及び略語の変更の少なくとも一つを実行することにより、メッセージの文字数を所定の文字数内に制限し、メッセージを迅速に修正することができる携帯通信端末のメッセージ修正方法及びその携帯通信端末を提供することを目的とする。
【課題を解決するための手段】
【０００８】
上記の目的を達成するため、本発明による携帯通信端末は、少なくとも一つの文字を含むメッセージが入力されるキー入力部と、前記入力されたメッセージの文字数を所定の文字数内に制限して、メッセージを修正する制御部と、を含んで構成されることを特徴とする。
【０００９】
この場合、前記制御部は、前記入力されたメッセージが１回の伝送容量の基準値を超えると、前記入力されたメッセージの文字数を、前記基準値内に制限すると好ましい。
【００１０】
前記制御部は、前記メッセージに含まれているスペースを削除すると好ましい。
【００１１】
記制御部は、前記メッセージに含まれているスペースを一定の順次に従って削除するか、又は、予め設定された伝送容量の基準値に基づいて、スペースを選択削除すると好ましい。
【００１２】
前記制御部は、前記メッセージに含まれている所定の語句を変更すると好ましい。
【００１３】
前記制御部は、所定の語句を予め指定された同じ意味内容を表す文字数の少ない他の語句に変更した後、スペースを削除するか、又は、スペースを削除した後、所定の語句を予め指定された同じ意味内容を表す文字数の少ない他の語句に変更すると好ましい。
【００１４】
前記制御部は、特殊文字を削除すると好ましく、所定の語句を同じ意味内容の略語に変更するようにしてもよい。
【００１５】
前記制御部は、メッセージの文字数を所定の文字数内に制限する方式を複数有し、該複数の方式に対して優先順位を設定し、該設定した優先順位による方式に従って、前記入力されたメッセージの文字数を所定の文字数内に制限して、メッセージを修正すると好ましい。
【００１６】
前記制御部は、前記入力されたメッセージの文字数を所定の文字数内に制限処理した部分を、制限処理していない部分と区別して表示する表示処理部を含んで構成されると好ましい。
【００１７】
前記表示処理部は、前記制御部によって削除または変更された部分を、予め設定された表示方式により変更して表示することが好ましい。
【００１８】
前記予め設定された表示方式が、メッセージの文字色、文字スタイル、文字サイズの少なくとも一つを変更して表示するものであると好ましい。
【００１９】
前記表示処理部は、前記制御部によってスペースが削除されると、該削除されたスペースの後に位置する文字を変更して表示し、前記制御部によって所定の語句が変更されると、該変更された所定の語句及び該所定の語句の後に位置する文字を変更して表示し、前記制御部によって特殊文字が削除されると、該削除された特殊文字の後に位置する文字を変更して表示すると好ましい
【００２０】
前記優先順位が、前記メッセージに含まれているスペースを削除すること、所定の語句を予め指定された同じ意味内容を表す文字数の少ない他の語句へ変更すること、特殊文字を削除することの順に設定されていることが好ましい。
【００２１】
前記制御部は、ユーザにより登録要求された所定の語句と、該所定の語句と同じ意味内容を表す文字数の少ない他の語句とがそれぞれ指定されると、前記所定の語句と前記他の語句とを対応付けて、これらを予め割り当てられたメモリ領域に登録する語句登録部と、前記メッセージの文字数を所定の文字数内に制限して、メッセージを修正する一連の手続きを行うメッセージ自動修正メニュー項目が選択されると、前記メッセージに含まれているスペースの削除、前記語句登録部に登録された所定の語句の他の語句への変更、特殊文字の削除の少なくとも一つを実行することにより、メッセージの文字数を所定の文字数内に制限して、メッセージを修正するメッセージ修正部と、前記メッセージ修正部により修正されるメッセージの修正進行状態を表示する修正状態表示部と、を含んで構成されると好ましい。
【００２２】
前記メッセージ修正部は、前記メッセージに含まれているスペースを削除するスペース削除部と、前記メッセージのうち、前記語句登録部に登録された所定の語句を予め指定された同じ意味内容を表す文字数の少ない他の語句に変更する語句変更部と、前記メッセージに含まれている特殊文字を削除する特殊文字削除部と、を含んで構成されると好ましい
【００２３】
所定の語句と同じ意味内容の略語を用いて構築された略語データベースをさらに含んで構成されると好ましい。
【００２４】
前記メッセージ修正部は、前記略語データベースを用いて、前記メッセージの内容における所定の語句を該当する略語に変更する略語変更部をさらに含んで構成されると好ましい。
【００２５】
前記制御部は、前記入力されたメッセージをメモリに格納し、前記修正したメッセージに対するメッセージ回復要求に従い、前記メモリに格納した修正前のメッセージを呼び出して表示する回復処理部をさらに含んで構成されると好ましい。
【００２６】
また、本発明による携帯通信端末は、少なくとも一つの文字を含むメッセージが入力されるキー入力部と、前記入力されたメッセージの文字数を所定の文字数内に制限して、メッセージを修正する制御部と、前記修正されたメッセージを格納するメモリと、前記修正されたメッセージを伝送する伝送部と、を含んで構成されることを特徴とする。
【００２７】
さらに、本発明のによる携帯通信端末のメッセージ圧縮方式は、少なくとも一つの文字を含むメッセージが入力される第１のステップと、前記入力されたメッセージの文字数を所定の文字数に制限して、メッセージを修正する第２のステップと、を含んで構成されることを特徴とする。
【００２８】
前記第２のステップは、前記入力されたメッセージが１回の伝送容量の基準値を超えると、前記入力されたメッセージの文字数を前記基準値内に制限して、メッセージを修正すると好ましい。
【００２９】
前記第２のステップは、前記メッセージに含まれているスペースを削除すると好ましい。
【００３０】
前記第２のステップは、前記メッセージに含まれているスペースを一定の順次に従って削除するか、又は、予め設定された伝送容量の基準値に基づいて、スペースを選択削除すると好ましい。
【００３１】
前記第２のステップは、前記メッセージに含まれている所定の語句を変更すると好ましい。
【００３２】
前記第２のステップは、所定の語句を予め指定された同じ意味内容を表す文字数の少ない他の語句に変更した後、スペースを削除するか、又は、スペースを削除した後、所定の語句を予め指定された同じ意味内容を表す文字数の少ない他の語句に変更すると好ましい。
【００３３】
前記第２のステップは、特殊文字を削除すると好ましく、また、前記第２のステップは、所定の語句を同じ意味内容の略語に変更するようにしてもよい。
【００３４】
前記第２のステップは、メッセージの文字数を所定の文字数に制限する方式を複数有し、該方式に対して優先順位を設定し、該設定した優先順位による方式に従って、前記入力されたメッセージの文字数を所定の文字数内に制限して、メッセージを修正すると好ましい。
【００３５】
前記入力されたメッセージの文字数を所定の文字数内に制限処理した部分を、制限処理していない部分と区別して表示する表示処理ステップをさらに含んで構成されると好ましい。
【００３６】
前記表示処理ステップは、前記第２のステップによって削除または変更された部分を、予め設定された表示方式により変更して表示すると好ましい。
【００３７】
前記予め設定された表示方式が、メッセージの文字色、文字スタイル、文字サイズの少なくとも一つを変更して表示するものであることが好ましい。
【００３８】
前記表示処理ステップは、前記第２のステップによってスペースが削除されると、該削除されたスペースの後に位置する文字を変更して表示し、前記第２のステップによって所定の語句が変更されると、該変更された所定の語句及び所定の語句の後に位置する文字を変更して表示し、前記第２のステップによって特殊文字が削除されると、該削除された特殊文字の後に位置する文字を変更して表示すると好ましい。
【００３９】
前記優先順位が、前記メッセージに含まれているスペースを削除すること、所定の語句を予め指定された同じ意味内容を表す文字数の少ない他の語句へ変更すること、特殊文字を削除することの順に設定されていると好ましい。
【００４０】
前記第２のステップは、
ユーザにより登録要求された所定の語句と、該所定の語句と同じ意味内容を表す文字数の少ない他の語句とがそれぞれ指定されると、前記所定の語句と前記他の語句とを対応付けて、これらを予め割り当てられたメモリ領域に登録する語句登録ステップと、前記メッセージの文字数を所定の文字数内に制限して、メッセージを修正する一連の手続きを行うメッセージ自動修正メニュー項目が選択されると、前記メッセージに含まれているスペースの削除、前記語句登録ステップによって登録された所定の語句の他の語句への変更、特殊文字の削除の少なくとも一つを実行することにより、メッセージの文字数を所定の文字数内に制限し、メッセージを修正するメッセージ修正ステップと、前記メッセージ修正ステップにより修正されるメッセージの修正進行状態を表示する修正状態表示ステップと、を含んで構成されると好ましい。
【００４１】
前記メッセージ修正ステップは、所定の語句と同じ意味内容の略語を用いて構築された略語データベースに基づいて、前記メッセージの内容における所定の語句を該当する略語に変更する略語変更ステップをさらに含んで構成されると好ましい。
【００４２】
前記入力されたメッセージをメモリに格納し、前記修正したメッセージに対するメッセージ回復要求に従い、前記メモリに格納した修正前のメッセージを呼び出して表示する回復処理ステップをさらに含んで構成されると好ましい。
【発明の効果】
【００４３】
本発明によれば、ＳＭＳメッセージが１回の伝送容量の基準値を超えた場合、ＳＭＳメッセージの内容のうち、不要な内容（例えば、スペース、所定の語句、及び特殊文字等）を自動的に削除し又は置き換え、１回に伝送可能なサイズにＳＭＳメッセージを修正することにより、不要な内容の修正作業時間を短縮し、余分な通信費用を削減することができるという効果がある。
【００４４】
また、メッセージの修正進行状態を表示することにより、ＳＭＳメッセージをどの程度修正すべきであるかを容易に確認することができるという効果がある。
【００４５】
さらに、ＥＭＳメッセージまたはＭＭＳ（Multimedia Messaging Service）メッセージも、同様に、そのメッセージの文字数を所定の文字数内に制限して、メッセージを修正処理し、ページ数を減らして伝送することにより、ページ当たりに加算される通信料金を削減することができるだけでなく、受信者の立場からすると、ページ数の少ない修正処理されたメッセージを受信するので、所望ページの確認を迅速に行うことができるという効果がある。
【００４６】
さらにまた、前記入力されたメッセージの文字数を所定の文字数内に制限処理した部分を変更して表示することにより、送受信者が制限処理された部分を容易に認識することができるという効果がある。
【発明を実施するための最良の形態】
【００４７】
以下、本発明の好ましい一実施形態を添付図面に基づいて詳しく説明する。図１は、本発明の一実施形態によるメッセージ修正方法を実行可能な携帯通信端末の構成を示すブロック図である。
【００４８】
図１を参照すると、本実施形態によるメッセージ修正方法を実行可能な携帯通信端末１００は、携帯通信端末の各種の端末情報を格納すると共に、予め登録された所定の語句を該所定の語句と同じ意味内容を表す文字数の少ない他の語句に置き換えるために、ユーザにより指定された所定の語句と他の語句とを対応付けて格納するメモリ１９０と、ユーザにより入力されたメッセージの文字数を所定の文字数内に制限して、メッセージを修正するか、またはメッセージの文字数を所定の文字数内に制限する方式を複数有し、該複数の方式に優先順位を設定して、該設定した優先順位に従ってメッセージを修正する制御部１２０と、ＲＦ部１３０と、音声処理部１４０と、スピーカ１５０と、マイクロホン１６０と、ボタンで構成されたキー入力部１７０と、外部画面及び内部画面の少なくとも一方のウインドウを提供する表示部１８０と、を含んで構成されている。
【００４９】
ここで、メッセージの文字数を所定の文字数内に制限する方式としては、メッセージに含まれているスペースを削除する方式、所定の語句を該所定の語句と同じ意味内容を表す文字数の少ない他の語句に変更する方式、特殊文字を削除する方式、略語に変更する方式のうち少なくとも一つの方式が採用される。
【００５０】
スペースを削除する方式には、メッセージに含まれているスペースを一定の順次に従って削除する第１の方式と、予め設定された伝送容量の基準値に基づいて、スペースを選択削除する第２の方式とがある。この削除方式については後述する。
【００５１】
所定の語句を他の語句に変更する方式には、所定の語句を該所定の語句と同じ意味内容を表す文字数の少ない他の語句に変更した後、第１の方式または第２の方式でスペースを削除する第３の方式と、第１の方式または第２の方式によりスペースを削除した後、所定の語句を該所定の語句と同じ意味内容を表す文字数の少ない他の語句に変更する第４の方式とがある。
【００５２】
その他の方式としては、第４の方式によりスペースを削除及び所定の語句の他の語句へ変更した後、特殊文字を削除する第５の方式と、第１の方式または第２の方式によりスペースを削除した後、特殊文字を削除する第６の方式と、第６の方式によりスペース及び特殊文字を削除した後、所定の語句を同じ意味内容の略語に変更する第７の方式があり、制御部１２０は、このような方式のうち少なくとも一つ実行又は組み合わせて実行する。また、全角文字を半角文字に変更する方式も採用可能である。
【００５３】
優先順位は、本実施形態では、メッセージに含まれているスペースを削除すること、所定の語句を同じ意味内容を表す文字数の少ない他の語句に変更すること、特殊文字を削除すること、略語を変更することの順に予め設定されているものとするが、この順序は任意に変更可能である。
【００５４】
制御部１２０は、携帯通信端末の全般の動作を制御するとともに、少なくとも一つの文字を含むメッセージ入力の際、メッセージに含まれているスペースの削除、所定の語句の他の語句への変更、特殊文字の削除、略語の変更のうち少なくとも一つを実行することにより、メッセージの文字数を制限し、メッセージを自動的に修正する。
【００５５】
本実施形態では、ＳＭＳメッセージが１回の伝送容量の基準値を超えると、メッセージの文字数を所定の文字数内に制限する少なくとも一つの方式によって、メッセージを修正するものとするが、本発明は、これに限定されるものではなく、ＥＭＳメッセージやＭＭＳ（Multimedia Messaging Servie）メッセージの場合も、同様に適用可能であることは言うまでもない。
【００５６】
例えば、ＥＭＳの場合、ページに入力されるメッセージの文字数を所定の文字数内に制限して、メッセージを修正することにより、不要な内容が削除されたメッセージを含んで構成されるページを伝送することができる。これにより、伝送すべきページ数を減らすことができるだけでなく、受信者の立場からすると、ページ数の少ない修正処理されたメッセージから所望ページを容易に選択することができるので、メッセージを迅速に確認することができる。また、ＭＭＳの場合も同様に、不要な内容が削除されたメッセージを含んで構成されたページを伝送することができる。これにより、ＭＭＳにおいても、不要なサービス利用料金の発生を減らすことができる。
【００５７】
本実施形態において、制御部１２０は、ＳＭＳメッセージが１回の伝送容量の基準値を超える場合、ＳＭＳメッセージに含まれているスペースの削除、所定の語句の他の語句への変更、特殊文字の削除、略語の変更の少なくとも一つを実行することにより、ＳＭＳメッセージの文字数を制限し、伝送容量の基準値内にＳＭＳメッセージを自動的に修正する。これによって、ＳＭＳメッセージを修正し、１回に伝送可能なサイズのＳＭＳメッセージが完成する。
【００５８】
より詳述すると、制御部１２０は、ＳＭＳメッセージが１回の伝送容量の基準値（例えば、８０バイト）を超え、ユーザからメッセージ自動修正メニュー項目が選択されると、ＳＭＳメッセージをメモリ１９０に一時保存して、予め設定された修正方法、または優先順位による修正方法によって、ＳＭＳメッセージの文字数を制限し、１回の伝送容量の基準値内にＳＭＳメッセージを修正する。一方、制御部１２０は、ユーザから修正メッセージ回復メニュー項目が選択されると、メモリ１９０に一時保存した修正前のＳＭＳメッセージを呼び出して表示する。また、ユーザが、図６に示す語句登録窓を通じて、ユーザにより登録要求された所定の語句と、該所定の語句と同じ意味内容を表す文字数の少ない他の語句とがそれぞれ指定されると、制御部１２０は、その所定の語句と他の語句とを対応付けて、これらを予め割り当てられたメモリ１９０領域に格納するようにする。
【００５９】
ＲＦ部１３０は、制御部１２０によって制御され、制御部１２０から出力される信号を無線信号に変換する。また、ＲＦ部１３０は、アンテナＡＮＴが受信した無線信号を、所望の信号に変換して出力する。
【００６０】
音声処理部１４０は、マイクロホン１６０から入力された音声信号を変調して音声データに変換し、ＲＦ部１３０から入力された音声データ及びメモリ１９０に格納された音声データを音声信号に復調して、スピーカ１５０から音声を出力する。
【００６１】
キー入力部１７０は、複数の数字キーと、メニューキーと、各種の機能を実行する機能キーと、を含んで構成されており、ユーザのキー入力操作により制御部１２０にキーデータを出力する。ユーザは、このようなキー入力部１７０における、複数の数字キーと、メニューキーと、機能キーとを操作してＳＭＳメッセージを入力作成する。
【００６２】
したがって、制御部１２０は、キー入力部１７０によるユーザのメニュー表示要求に従い、当該メニューをメモリ１９０から読み出し、表示部１８０に表示する。すなわち、キー入力部１７０は、通常の情報入力手段であり、複数の数字キーや機能キー等、適用される携帯通信端末に適切な複数のキーを備え、これらの各キーの入力があれば、入力キーに対応するそれぞれの固有キーデータを出力し、制御部１２０に伝達する。これにより、キー入力部１７０のキー入力動作を通じて、メニュー表示モードへの進入、及びメニューの選択が行われるようになる。制御部１２０は、キー入力に該当するメニューをメモリ１９０から読み出して、表示部１８０に表示させる。
【００６３】
表示部１８０は、液晶表示装置（ＬＣＤ）等の表示装置であり、制御部１２０によって制御され、携帯通信端末の状態やプログラムの進行状況等を表示する。すなわち、携帯通信端末の全般的な状態、及びユーザによって入力される情報（データ）等を表示する。また、表示部１８０は、制御部１２０の制御に従い、ＳＭＳメッセージの作成において、文字（データ）が入力される毎に、メッセージに含まれるデータのバイト数を画面上に表示する。このように表示されるバイト数に基づいて、ユーザは、ＳＭＳメッセージが１回の伝送容量の基準値を超えるか否か、及び、ＳＭＳメッセージをある程度修正しなければならないかを容易に確認することができる。
【００６４】
メモリ１９０には、制御部１２０の動作プログラム、システムプログラム等が格納されている。動作プログラムやシステムプログラムは、ＲＯＭ領域に格納され、必要に応じて消去が可能である。電気的に消去可能なＲＯＭとしては、ＥＥＰＲＯＭ、フラッシュメモリ等がある。また、メモリ１９０は、様々な動作プログラムの実行中に発生するデータを一時保存するＲＡＭを有している。さらに、メモリ１９０は、所定の語句と同じ意味内容の辞典に定義された略語を用いて構築された略語データベース１９５をも含んで構成されている。本明細書では、略語データベースは、辞典に定義された略語が格納されているものとするが、本発明はこれに限定されるものではない。
【００６５】
図２は、図１に示した制御部１２０を詳細に説明するための構成ブロック図である。図２を参照すると、制御部１２０は、移動通信サービスを行うための信号処理を行う携帯通信処理部１２１と、ユーザにより登録要求された所定の語句と、該所定の語句と同じ意味内容を表す文字数の少ない他の語句とを登録する語句登録部１２２と、メッセージに含まれているスペースの削除、所定の語句の他の語句への変更、特殊文字の削除、略語への変更等の少なくとも一つを実行することによりメッセージの文字数を制限し、メッセージを修正するメッセージ修正部１２３と、メッセージ修正部１２３により修正されるメッセージの修正状態を表示する修正状態表示部１２４と、メッセージ修正部１２３によって、入力されたメッセージの文字数を所定の文字数内に制限処理された部分を、制限処理されていない部分と区別して表示する表示処理部１２５と、修正前のメッセージに回復する回復処理部１２６と、を含んで構成されている。
【００６６】
携帯通信処理部１２１は、携帯通信端末において、無線資源を活用して移動通信サービスを行うためのモジュールであり、公知の移動通信技術を用いて構成されて動作する。従って、本明細書では、その詳細な説明は省略する。
【００６７】
語句登録部１２２は、ユーザにより登録要求された所定の語句（例えば、「こんにちは」）と、その所定の語句と同じ意味内容を表す文字数の少ない他の語句（例えば、「hi」」）とが指定されると、その所定の語句と他の語句とを対応付けて、これらを予め割り当てられたメモリ１９０領域に登録する。
【００６８】
メッセージ修正部１２３は、メッセージを修正するための一連の手続きを行うメッセージ自動修正メニュー項目が選択されることにより、メッセージの文字数を所定の文字数内に制限し、またはメッセージの文字数を所定の文字数内に制限する複数の方式に優先順位を設け、その優先順位に従って、メッセージの文字数を所定の文字数内に制限して、メッセージを修正する。この際、メッセージ修正部１２３は、メッセージの修正が基準値に達した場合、それ以上メッセージを修正しない。すなわち、メッセージ修正部１２３は、予め設定された修正方法、または設定された優先順位による修正方法に応じて、メッセージに含まれているスペースの削除をするが、これが基準値に達した場合、所定の語句の他の語句への変更や特殊文字の削除等を実行しない。
【００６９】
このようにメッセージ修正機能を実行するメッセージ修正部１２３は、スペース削除部１２３ａと、語句変更部１２３ｂと、特殊文字削除部１２３ｃと、略語変更部１２３ｄと、を含んで構成されている。
【００７０】
本実施形態では、予め設定された修正方法、または優先順位による修正方法に従って、スペース削除部１２３ａがスペースの削除を実行したにもかかわらず、メッセージの容量が基準値を超える場合、語句変更部１２３ｂにより所定の語句が他の語句へ変更される。この変更処理後も、メッセージが基準値を超える場合、特殊文字削除部１２３ｃが特殊文字を削除する。この削除後も、メッセージが基準値を超える場合、略語変更部１２３ｄが任意の単語（所定の語句）を略語に変更するものとして説明する。しかし、修正方法や優先順位による修正方法は、任意に変更可能である。
【００７１】
スペース削除部１２３ａは、ＳＭＳメッセージに含まれているスペースを削除する。本実施形態では、スペースは、スペース削除順に応じて、すなわち、一定の順序（法則）に従って削除される。スペース削除順は、スペースが連続して存在する場合、二つ以上のスペースのうち一つのスペースのみを最優先して削除する第１の削除方式、文字（日本語（又はハングル）と英語）と特殊文字（日本語（又はハングル）／英語以外の記号及びその他の特殊文字）との間のスペースを削除する第２の削除方式、特殊文字と特殊文字との間のスペースを削除する第３の削除方式、文字と文字との間のスペースを削除する第４の削除方式、文字と数字との間のスペースを削除する第５の削除方式の順である。また、スペース削除部１２３ａは、前述のようにメッセージに含まれているスペースをスペース削除順に削除することができると共に、１回の伝送容量の基準値に合わせてスペース（スペースの一部）を選択的に削除することもできる。
【００７２】
語句変更部１２３ｂは、メッセージのうち、予め登録された所定の語句が存在するか否かを検索し、その検索の結果、所定の語句が存在すると、その所定の語句を予め指定された他の語句に変更する。例えば、予め登録された所定の語句が「こんにちは」であり、その所定の語句に対応付けてられた他の語句を「hi」とすれば、語句変更部１２３ｂは、「こんにちは」という所定の語句を検索すると共に、これに対応する他の語句を検索し、検索の結果、所定の語句「こんにちは」に対応する他の語句「hi」があれば、「こんにちは」を「hi」に変更してメッセージの修正する。
【００７３】
特殊文字削除部１２３ｃは、メッセージに含まれている特殊文字を削除する。この際、特殊文字削除部１２３ｃは、ユーザの画面上に特殊文字を削除するか否かを問うメッセージを出力し、ユーザから特殊文字の削除要求の信号が入力されなければ特所文字を削除しない。
【００７４】
略語変更部１２３ｄは、所定の語句と同じ意味内容の辞典に定義された略語を用いて構築された略語データベース１９５に基づいて、所定の語句（任意の単語）を該当する略語に変更する。さらに詳述すると、略語変更部１２３ｄは、メッセージのうち、略語に変更すべき所定の語句が存在するか否かを検索し、その検索の結果、所定の語句が存在すると、その所定の語句を該当する略語に変更して表示する。
【００７５】
修正状態表示部１２４は、スペース削除部１２３ａ、語句変更部１２３ｂ、特殊文字削除部１２３ｃ、及び略語変更部１２３ｄの少なくとも一つが実行されることにより修正されるメッセージの修正進行状態を画面上に表示する。
【００７６】
表示処理部１２５は、少なくとも一つの修正方法によって、修正が行われた部分を、修正が行われていない部分と区別して表示する。特に、表示処理部１２５は、修正方法により削除または変更された部分を予め設定された表示方式によって変更して表示する。ここで、予め設定された表示方式とは、メッセージの文字色、文字スタイル（書式）、文字サイズの少なくとも一つの表示方式である。但し、本発明はこれに限定されるものではない。さらに詳述すると、表示処理部１２５は、制御部１２０により、メッセージに含まれているスペースが削除された場合、削除されたスペースの後に位置する文字を、予め設定された表示方式により変更して表示し、所定の語句が変更された場合、変更された所定の語句及びその所定の語句の後に位置する文字を変更して表示し、特殊文字が削除された場合、削除された特殊文字の後に位置する文字を変更して表示する。これにより、受信者は、修正が行われた部分を容易に認識することができる。
【００７７】
回復処理部１２６は、少なくとも一つの修正方法により修正されたメッセージに対するメッセージ回復要求に従い、修正前のメッセージ、すなわち、初期の状態のメッセージに回復して表示する。さらに詳述すると、回復処理部１２６は、少なくとも一つの文字を含むメッセージをメモリ１９０に一時保存しておき、ユーザが修正メッセージ回復メニュー項目を選択すると、前述した少なくとも一つの修正方法によって修正されたメッセージを修正前のメッセージに回復するために、メモリ１９０に一時保存した修正前のメッセージを呼び出して表示するようにする。
【００７８】
以上の構成により、メッセージ入力の際、メッセージの内容のうち、不要な内容（例えば、スペース、所定の語句、及び特殊文字等）を削除・変更し、メッセージを修正することができる。これにより、ＳＭＳメッセージにおいて、１回の伝送容量の基準値を超える場合、少なくとも一つの修正方法により、１回に伝送可能なＳＭＳメッセージに迅速に修正することができる。また、ＥＭＳメッセージの場合も、同様の修正方法によりメッセージの文字数を所定の文字数内に制限して、メッセージを修正することで、伝送すべきページ数を減らすことができる。
【００７９】
以下、前述のように構成された本発明の一実施形態による携帯通信端末において、メッセージを修正する過程について説明する。
【００８０】
図３は、本発明の一実施形態による携帯通信端末のメッセージ修正方法を説明するためのフローチャートである。携帯通信端末１００の制御部１２０は、ユーザにより登録要求された所定の語句と、その所定の語句と同じ意味内容を表す文字数の少ない他の語句がそれぞれ指定されると、これらを対応付けてメモリ１９０領域に予め格納する（Ｓ１００）。なお、メモリ１９０は、所定の語句と同じ意味内容の辞典に定義された略語を用いて構築された略語データベース１９５を格納している。
【００８１】
次に、制御部１２０は、ユーザのキー入力操作によってキー入力部１７０を通じてＳＭＳメッセージが入力される（Ｓ１１０）。この際、メッセージは、日本語（又はハングル）、英語、スペース、及び特殊文字の少なくとも一つを含んで構成される。本実施形態では、ユーザが入力したメッセージをＳＭＳにおけるメッセージとして説明したが、本発明はこれに限定されるものではなく、ＥＭＳメッセージやＭＭＳメッセージであってもよいことは言うまでもない。ＥＭＳの場合、伝送容量の基準値が２５５ページであり、ページ当たりの容量が１６０バイトを占めるようになるが、伝送すべきページ数を減らすために、本実施形態によれば、その容量に応じたメッセージの修正過程を行う。ＳＭＳメッセージであれば、１回の伝送容量の基準値が８０バイトであるので、その基準値に応じた１回に伝送可能なサイズに修正する過程を行う。
【００８２】
以下、本実施形態におけるＳＭＳメッセージに対する修正過程を説明する。制御部１２０は、ユーザによりメッセージ自動修正メニュー項目が選択されたか否かを判断する（Ｓ１２０）。ユーザによりメッセージ自動修正メニュー項目が選択された場合とは、ＳＭＳメッセージが１回の伝送容量の基準値を超えた場合に該当する。
【００８３】
ステップＳ１２０の判断の結果、ユーザによりメッセージ自動修正メニュー項目が選択されなかった場合、制御部１２０は、後述するステップＳ３１０にプロセスを進め、ＳＭＳメッセージの伝送要求の有無を判断する。
【００８４】
ステップＳ１２０の判断の結果、ユーザによりメッセージ自動修正メニュー項目が選択された場合、制御部１２０は、ＳＭＳメッセージの内容を予め設定された修正方法または設定された優先順位による修正方法によって、メッセージの文字数を所定の文字数内に制限して、ＳＭＳメッセージを修正するＳＭＳメッセージ修正関連サブルーチンを行う（図３のＳ２００）。この際、制御部１２０は、現在入力されたＳＭＳメッセージをメモリ１９０に一時保存しておく。ここで、予め設定された修正方法または設定された優先順位による修正方法は、前述したものと同様であり、本実施形態では、スペースの削除、所定の語句の他の語句への変更、特殊文字の削除、略語の変更の順に、ＳＭＳメッセージの文字数を制限してＳＭＳメッセージを修正するものである。しかし、本発明はこれに限定されるものではない。
【００８５】
図４を参照して、ＳＭＳメッセージ修正関連サブルーチン（Ｓ２００）を説明すると、制御部１２０は、メッセージ自動修正メニュー項目の選択に応じて、ＳＭＳメッセージに含まれているスペースを削除する（Ｓ２０１）。ここで、削除されるスペースは、ＳＭＳメッセージの最初から検索し、前述した第１の削除方式〜第９の削除方式を順に実行し、スペースを削除することが好ましい。このようにして、スペースが削除されると、制御部１２０は、削除されたスペースの後に位置する文字を予め設定された表示方式（例えば、文字色、文字スタイル（書式）、文字サイズ等）に変更して表示する。これにより、送信者及び受信者は、メッセージの修正が行われた部分を容易に認識可能となる。
【００８６】
次に、制御部１２０は、スペースが削除されたＳＭＳメッセージが、１回の伝送容量の基準値を超えたか否かを判断する（Ｓ２０３）。ステップＳ２０３の判断の結果、スペースが削除されたＳＭＳメッセージが、１回の伝送容量の基準値を超えていない場合、制御部１２０は、図３のステップＳ３００にプロセスを進め、その基準値内に修正されたＳＭＳメッセージを完成する。一方、Ｓ２０３の判断の結果、スペースが削除されたＳＭＳメッセージが、１回の伝送容量の基準値を超えていると、制御部１２０は、ＳＭＳメッセージに含まれている所定の語句を検索し、その検索の結果、所定の語句が存在すると、検索した所定の語句を予め指定された他の語句に変更する（Ｓ２０５）。この際、所定の語句は、頻繁に用いる単語やフレーズであり、予めメモリ１９０に格納しておくことが好ましい。このように所定の語句を予め指定された他の語句に変更すると、制御部１２０は、変更した所定の語句及びその所定の語句の後に位置する文字を、予め設定された表示方式に変更して表示する。
【００８７】
次に、制御部１２０は、スペースが削除され、所定の語句も変更されたＳＭＳメッセージが、基準値を超えたか否かを判断する（Ｓ２０７）。ステップＳ２０７の判断の結果、スペースが削除され、所定の語句も変更されたＳＭＳメッセージが基準値を超えていない場合、制御部１２０は、図３のステップＳ３００のプロセスに移り、基準値内に修正されたＳＭＳメッセージを完成する。一方、ステップＳ２０７の判断の結果、スペースが削除され、所定の語句も変更されたＳＭＳメッセージが基準値を超えている場合、制御部１２０は、特殊文字の削除を問うメッセージ（例えば、「特殊文字を削除しますか？」等）を出力する（Ｓ２０９）。
【００８８】
次に、制御部１２０は、ユーザから特殊文字の削除が要求されたか否かを判断する（Ｓ２１１）。ステップＳ２１１の判断の結果、特殊文字の削除が要求されていない場合、制御部１２０は、基準値を超えたＳＭＳメッセージの内容を除いた基準値を超えていない部分をメッセージの内容として、ＳＭＳメッセージを完成する（Ｓ２１２）。一方、ステップＳ２１１の判断の結果、特殊文字の削除が要求された場合、制御部１２０は、基準値を超えたＳＭＳメッセージに含まれている特殊文字を検索し、検索の結果、特殊文字が存在すると、該検索した特殊文字を削除する（Ｓ２１３）。この際、制御部１２０は、特殊文字を削除すると、削除した特殊文字の後に位置する文字を予め設定された表示方式に変更して表示する。
【００８９】
次に、制御部１２０は、スペースが削除され、所定の語句も変更され、特殊文字も削除されたＳＭＳメッセージが基準値を超えたか否かを判断する（Ｓ２１５）。ステップＳ２１５の判断の結果、スペースが削除され、所定の語句も変更され、特殊文字も削除されたＳＭＳメッセージが、基準値を超えていない場合、制御部１２０は、基準値内に修正したＳＭＳメッセージを完成する（図３のＳ３００）。
【００９０】
このように基準値内に修正して完成したＳＭＳメッセージに対して、ユーザから修正メッセージ回復メニュー項目が選択されると、制御部１２０は、メモリ１９０に格納した修正前のメッセージを呼び出して表示する。
【００９１】
図示してないが、ＳＭＳメッセージに含まれているスペースの削除、所定の語句の変更、及び特殊文字の削除後も、基準値を超える場合、制御部１２０は、所定の語句と同じ意味内容の辞典に定義された略語を用いて構築された略語データベース１９５に基づいて、略語に変更可能な所定の語句（例えば、単語）を検索し、検索の結果、変更可能な所定の語句が存在すると、その検索した所定の語句を該当する略語に変更して修正する。このように略語を変更する場合、変更した略語及びその略語の後に位置する文字を、前述と同様に、予め設定された表示方式に変形して表示する。
【００９２】
ステップＳ２１５の判断の結果、スペースが削除され、所定の語句も変更され、特殊文字も削除されたＳＭＳメッセージが、基準値を超える場合、制御部１２０は、前述したステップＳ２１２にプロセスを進める。
【００９３】
再度、図３を参照する。制御部１２０は、ユーザからＳＭＳメッセージの伝送要求信号が入力されたか否かを判断する（Ｓ３１０）。この際、ＳＭＳメッセージは、基準値を超えていないＳＭＳメッセージ、基準値を超えたが基準値内に修正されたＳＭＳメッセージ、基準値を超えた内容を除いたＳＭＳメッセージのうちの何れか一つである。
【００９４】
ステップＳ３１０の判断の結果、ユーザからＳＭＳメッセージの伝送要求信号が入力されない場合、制御部１２０は、プロセスを終了する。一方、制御部１２０は、ステップＳ３１０の判断の結果、ユーザからＳＭＳメッセージの伝送要求信号が入力された場合、ＳＭＳメッセージを、ユーザが指定した少なくとも一人の受信者の電話番号に伝送する（Ｓ３２０）。
【００９５】
図５（Ａ）〜図５（Ｄ）を参照して、ＳＭＳメッセージが１回の伝送容量の基準値を超えた場合、スペースを削除する修正方法及び所定の語句を他の語句へ変更する修正方法によりＳＭＳメッセージを完成する過程を説明すると、以下のとおりである。
【００９６】
先ず、制御部１２０は、ユーザによりＳＭＳメッセージの作成が要求されると、図５（Ａ）に示すようなＳＭＳメッセージ作成窓を提供する。
【００９７】
次に、制御部１２０は、ＳＭＳメッセージ作成窓を表示部１８０に表示させ、ユーザによるキー入力部１７０の操作を通じて、図５（Ｂ）に示すようなＳＭＳメッセージが入力される。この際、入力されたＳＭＳメッセージは、基準値を２５％超えたＳＭＳメッセージの内容である。
【００９８】
次に、ユーザが図５（Ｂ）のオプションメニューを選択すると、制御部１２０は、２５％超えたＳＭＳメッセージを修正するために、図５（Ｃ）に示すような、メッセージ自動修正メニュー項目や、修正メッセージ回復メニュー項目等を含んで構成されるメニュー窓を提供する。この際、メッセージ自動修正メニュー項目は、ＳＭＳメッセージを修正するための一連の手続きを実行し、修正メッセージ回復メニュー項目は、修正前のＳＭＳメッセージをメモリから呼び出して表示する一連の手続きを実行する。
【００９９】
次に、ユーザによって、メッセージ自動修正メニュー項目が選択されると、制御部１２０は、ＳＭＳメッセージに含まれているスペースを削除する。しかし、このようにスペースのみを削除しても、メッセージの容量が基準値を超えているので、所定の語句の他の語句への変更を実行する。この際、スペースを削除し、所定の語句他の語句へ変更したＳＭＳメッセージは、図５（Ｄ）に示すとおりである。これによりメッセージの伝送容量が基準値内となったので、特殊文字の削除過程や、略語の変更過程は実行せずに、ＳＭＳメッセージの修正を終了する。
【０１００】
ここで、制御部１２０は、図５（Ｅ）及び図５（Ｆ）に示すように、修正処理が実行された部分を、予め設定された表示方式（例えば、文字スタイル（書式））に従って変形して表示する。しかし、本発明はこれに限定されるものではない。
【０１０１】
以上により、基準値を超えたＳＭＳメッセージを自動的に修正し、１回に伝送可能な基準値内のＳＭＳメッセージを簡易に完成することができる。
【０１０２】
本発明は、上述した実施形態には限定されず、当業者により様々な変形及び変更が可能であり、これは、特許請求の範囲において定義される本発明の趣旨及び均等な範囲に含まれる。
【図面の簡単な説明】
【０１０３】
【図１】本発明の一実施形態によるメッセージ修正方法を実行可能な携帯通信端末の構成を示すブロック図である。
【図２】図１に示した制御部を詳細に説明するためのブロック構成図である。
【図３】本発明の一実施形態による携帯通信端末のメッセージ修正方法を説明するためのフローチャートである。
【図４】図３のメッセージ修正関連サブルーチンを説明するためのフローチャートである。
【図５】（Ａ）はメッセージの作成窓を示す画面例示図であり、（Ｂ）は基準値を超えたＳＭＳメッセージを示す画面例示図であり、（Ｃ）はメッセージ自動修正メニュー項目を示す画面例示図であり、（Ｄ）は修正したＳＭＳメッセージを示す画面例示図であり、（Ｅ）及び（Ｆ）は修正処理が行われた部分を、修正処理が行われていない部分と区別して表示した画面例示図である。
【図６】所定の語句と他の語句との登録窓を示す画面例示図である。
【符号の説明】
【０１０４】
１００    携帯通信端末
１１０    カメラ
１２０    制御部
１２１    携帯通信処理部
１２２    語句登録部
１２３    メッセージ修正部
１２３ａ  スペース削除部
１２３ｂ  語句変更部
１２３ｃ  特殊文字削除部
１２３ｄ  略語変更部
１２４    修正状態表示部
１２５    表示処理部
１２６    回復処理部
１３０    ＲＦ部
１４０    音声処理部
１５０    スピーカ
１６０    マイクロホン
１７０    キー入力部
１８０    表示部
１９０    メモリ
１９５    略語データベース
【図１】
2006331429.tif 000003
【図２】
2006331429.tif 000004
【図３】
2006331429.tif 000005
【図４】
2006331429.tif 000006
【図５】
2006331429.tif 000007
【図６】
2006331429.tif 000008